(57)【要約】      （修正有）【課題】着座状態における両脚部をある程度拘束できるようにして、着座者の正座姿勢を美形姿態に保持可能とし、且つ、着座板の着座面積を大きく確保して着座者の臀部全体を着座板からはみ出さないようにできる。【解決手段】着座板２を平面視略長方形に形成し、着座板２の下面２ｂ側の長辺側部２−２の両端部にそれぞれ支持脚片３、３を着座板２の下面２ｂ側に折畳み可能に設置して、両支持脚片３、３を着座板２の下面２ｂに対して起立させた際に両支持脚片３，３間の間隙寸法を着座者の両脚部が挿入可能な幅寸法に設定して、支持脚片３、３間に着座者の両脚部を挿入位置させた状態で着座板２の上面２ａに臀部を着座させることによって着座者が正座可能となるように構成した。【選択図】図１
0003139324.tif 000002
【実用新案登録請求の範囲】
【請求項１】
上面側に着座者の臀部が着座可能に構成した着座板と、該着座板の下面側に起立使用状態または横臥格納状態になるように折畳み可能に設けた支持脚片とを有して構成する折畳み式正座用椅子であって、前記着座板を平面視略長方形に形成し、該着座板の下面側の長辺側部の両端部にそれぞれ前記支持脚片を前記着座板の下面側に折畳み可能に設置しており、前記両支持脚片を前記着座板の下面に対して起立させた際に前記両支持脚片間の間隙寸法を着座者の両脚部が挿入可能な幅寸法に設定して、前記支持脚片間に着座者の両脚部を挿入位置させた状態で前記着座板の上面に臀部を着座させることによって着座者が正座可能となるように構成したことを特徴とする折畳み式正座椅子。
【請求項２】
前記着座板における一方の長辺側部の下面端部に、当該一方の長辺側部下面において起立使用状態または横臥格納状態となるように折畳み可能に掛止片を設け、該掛止片を前記着座板に対して前記一方の長辺側部に起立させることによって前記両支持脚片間に当接位置させて該両支持脚片の起立状態を保持するように構成したことを特徴とする請求項１に記載の折畳み式正座椅子。
【請求項３】
前記着座板の両短辺側部の略中央部に凹溝部を形成すると共に、該凹溝部に嵌合する突起部を前記両支持脚片の基端部にそれぞれ形成して、前記着座板に対して前記両支持脚片が起立している際に、前記凹溝部に前記突起部が嵌合することによって当該両支持脚片の起立状態を支持するように構成したことを特徴とする請求項１または請求項２に記載の折畳み式正座椅子。
【請求項４】
前記着座板の上面に座布団等のクッション体を敷設した際に、当該クッション体の滑り止めとなる滑り止め片を前記着座板の上面に張設したことを特徴とする請求項１ないし請求項３のいずれか一に記載の折畳み式正座椅子。
【考案の詳細な説明】
【技術分野】
【０００１】
本考案は、詩吟或いは三弦・琴等の稽古時あるいは冠婚葬祭や各種会合の席等において着座者の足部が痺れるのを防止すると共に、美形姿態で正座姿勢を保持できるように構成した折畳み式正座椅子に関するものである。
【背景技術】
【０００２】
この種の折畳み式正座椅子は、従来、各種各様なものが知られている（特許文献１−特許文献４参照）。
【特許文献１】実公平７−４３３０８号公報。
【特許文献２】特開２００４−３３２７２号公報。
【特許文献３】特開２００５−３６１８２３号公報。
【特許文献４】特開２００６−９５２０５号公報。
【０００３】
これらの折畳み式正座椅子は、上面側に着座者の臀部を着座可能に構成した着座板と、該着座板の下面側において起立使用状態または横臥格納状態となるように折畳み可能な支持脚片とを有して構成しており、着座板は着座板の下面中央部に一片の支持脚片により支持されるもの、或いは一対の支持脚片を互いに対向させた状態或いはＸ字状の襷掛けにした状態で着座板を支持するもの、更には一対の支持脚片を着座板下面側が底辺となるように三角形状に配置して支持するもの等である。
【考案の開示】
【考案が解決しようとする課題】
【０００４】
しかしながら、いずれの折畳み式正座椅子は、着座者の脚部（足部の下半部）を支持脚片の外側に位置させて正座姿勢を保持するように構成したものである。
【０００５】
従って、従来の折畳み式正座椅子に着座した状態における着座者の脚部は、支持脚片の外側に位置していることから、外側に広がることに対して、さしたる拘束がないことになり、このために、意識していないと稽古等に夢中になって、着座者の脚部が拡がりがちとなって正座姿勢が崩れてしまいがちである。
【０００６】
また、着座者が着座した状態における正座椅子は、脚部が支持脚片の外側に位置させるように構成しているために、着座板の両端部が幅広となって着座者の脚部の邪魔にならないようにするためには、着座板の着座面積をそれほど大きくすることができず、着座者の臀部の外側が着座板からはみ出してしまい、着座心地がよい椅子であるとはいい難いものである。
【０００７】
そこで、本考案は、着座状態における両脚部をある程度拘束できるようにして、着座者の正座姿勢を美形姿態に保持可能とすると共に、着座板の着座面積を大きく確保して着座者の臀部全体を着座板からはみ出さないようにできて着座心地を向上させることができる折畳み式正座椅子を提供することを目的としている。
【課題を解決するための手段】
【０００８】
本考案に係る折畳み式正座椅子は、上面側に着座者の臀部が着座可能に構成した着座板と、該着座板の下面側に起立使用状態または横臥格納状態になるように折畳み可能に設けた支持脚片とを有して構成する折畳み式正座用椅子であって、前記着座板を平面視略長方形に形成し、該着座板の下面側の長辺側部の両端部にそれぞれ前記支持脚片を前記着座板の下面側に折畳み可能に設置しており、前記両支持脚片を前記着座板の下面に対して起立させた際に前記両支持脚片間の間隙寸法を着座者の両脚部が挿入可能な幅寸法に設定して、前記支持脚片間に着座者の両脚部を挿入位置させた状態で前記着座板の上面に臀部を着座させることによって着座者が正座可能となるように構成したことを特徴とする。
【０００９】
かかる構成を有することにより、本考案に係る折畳み式正座椅子は、着座板下面に対して起立使用状態にある一対の支持脚片の内側において、着座者の両脚部が挿入されることになって、あたかも、両支持脚片により着座者の両脚部が外側から拘束されていることになり、着座者が稽古等に夢中になっていたとしても、無意識の中で両脚部が外側に拡がっていくのを抑えることができ、正座姿態が崩れることなく、美形姿態のまま保持されることになる。
【００１０】
また、かかる構成により、本考案に係る折畳み式正座椅子は、両支持脚片の内側において着座者の両脚部が挿入された状態で着座姿勢を保持するようにすると共に、両支持脚片を着座板の長辺側部の両端部にそれぞれ設けるようにしたことにより、両支持脚片間の間隙寸法を小さくすることができることになって、着座板の小型化を図ることができる。
【００１１】
また逆に、かかる構成により、本考案に係る折畳み式正座椅子は、両支持脚片の内側において着座者の両脚部が挿入された状態において着座姿勢を保持するように構成したことにより、着座者によってまちまちな両脚部間の間隙寸法等の姿態に拘束されることなく、着座板として着座面積の大きなものを選択使用することができ、着座者の臀部の大小に拘わらず常に臀部全体をはみ出さないように保持することができ、着座心地を良好なものにすることができる。
【００１２】
上記本考案は、前記着座板における一方の長辺側部の下面端部に、当該長辺側部下面において起立使用状態または横臥格納状態となるように折畳み可能に掛止片を設け、該掛止片を前記着座板に対して前記長辺側部に起立させることによって前記両支持脚片間に当接位置させて該両支持脚片の起立状態を保持するように構成するようにしてもよい。
【００１３】
かかる構成にすることにより、掛止片を両支持脚片間に位置させて、起立使用状態にある両支持脚片を支えることができ、使用中に掛止片を横臥格納状態にしない限り両支持脚片が折畳まれてしまうことがなく、また、掛止片は不使用時には着座板の長辺側部下面側において押下格納状態になるように折畳むことによって収容され、正座椅子を薄型コンパクトに折畳むことができ、持ち運び等に影響を及ぼすことはなく便利である。
【００１４】
また、上記本考案は、前記着座板の両短辺側部の略中央部に凹溝部を形成すると共に、該凹溝部に嵌合する突起部を前記両支持脚片の基端部にそれぞれ形成して、前記着座板に対して前記両支持脚片が起立している際に、前記凹溝部に前記突起部が嵌合することによって当該両支持脚の起立状態を支持するように構成するようにしてもよい。
【００１５】
かかる構成により、両支持脚片が着座板の下面側に起立した起立使用状態において、凹溝部に突起部を嵌合させることにより、着座板の両短辺側部における凹溝部を挟む両端面と両支持脚片における突起部を挟む両端面とが互いに当接し合って、着座板に対する支持脚片の起立状態が確実に保持されることになる。
【００１６】
また、上記本考案は、前記着座板の上面に座布団等のクッション体を敷設した際に、当該クッション体の滑り止めとなる滑り止め片を前記着座板の上面に張設するように構成してもよい。
【００１７】
かかる構成により、着座板上に座布団等のクッション体を敷設した状態で稽古時等に没頭する間に着座者の臀部によって着座板に対してクッション体の敷設状態をずらすような力が加わったとしても、滑り止め片によりクッション体が着座板の敷設位置よりずれることがなく、常に、クッション体自体の機能を十分発揮させることができ、着座心地を良好なものにすることができる。
【考案の効果】
【００１８】
上記のように構成する本考案によれば、正座姿勢が崩れることなく、美形姿態のまま保持され、また、両支持脚片間の間隙寸法を大きくすることができることになって、着座板の小型化を図ることができ、しかも、逆に着座者によってまちまちな両脚部間の間隙寸法等の姿態に拘束されることなく、着座板として着座面積の大きなものを使用することができ、結果的に、着座者の臀部の大小に拘わらず常に臀部全体を着座板からはみ出さないように保持することができ、着座心地を良好なものにすることができる。
【考案を実施するための最良の形態】
【００１９】
次に、本考案に係る第１の実施例について、図１乃至図５を用いて説明する。
【００２０】
図１は本考案に係る第１の実施例を採用した折畳み式正座椅子の支持脚片を着座板に対して起立させた起立使用状態を描画した一部分解斜視図、図２は同じく支持脚片を着座板に対して支持脚片を折畳んで横臥させた格納状態を着座板の下面側から描画した斜視図、図３は同じく起立使用状態にするために着座板に対して支持脚片を起立させた状態を着座板の下面側から描画した斜視図、図４は同じく起立した支持脚片を掛止片により掛止下状態を着座板の下面側から描画した斜視図、図５は同じく起立使用状態における折畳み式正座椅子の背面図である。
【００２１】
図において、本考案に係る第１の実施例を採用した折畳み式正座椅子１は、上面２ａ側に着座者１０の臀部１０ａが着座できるように構成した着座板２と、着座板２の下面２ｂ側に設置した一対の支持脚片３、３とを有して構成している。
【００２２】
着座板２は、平面視略長方形に形成されており、上面２ａには滑り止め片５が張設されており、また、両短辺側部２−１の略中央部には、それぞれ凹溝部２ｃが形成されている。
【００２３】
支持脚片３、３は、図３に明確に示すように、その基端部３−１側が蝶番６を介して着座板２の長辺側部２−１の下面側に設置されており、支持脚片３、３の遊端部３−２は、着座板２の下面２ｂ側において、起立使用状態例えば、(図１に示す状態)と横臥格納状態(図２に示す状態)との間を揺動して折畳み可能に構成されている。
【００２４】
そして、支持脚片３、３における基端部３−１の略中央部には、着座板２側の凹溝部２ｃに嵌合する突起３ａが形成されており、支持脚片３、３が着座板２の下面２ｂに対して起立使用状態にとなされた際に、突起３ａを凹溝部２ｃに嵌合させることによって、結果的に、着座板２の両短辺側部２−１における凹溝部２ｃを挟む両端面２ｄと両支持脚片３、３における突起部３ａを挟む両端面３ｂとが互いに当接し合って、着座板２に対する支持脚片３の起立使用状態を保持するように構成している。
【００２５】
さらに、支持脚片３、３は、その幅寸法が着座板２の短辺寸法より小さく形成されている。従って、支持脚片３、３が着座板２の下面２ｂに設置された際には、着座板２の一方の長辺側部２−２には、下面２ｂが剥き出しとなった空隙部２ｅが形成されることになり、空隙部２ｅには、掛止片７が一方の長辺側部２−２の略中央部に設置された蝶番８を介して着座板２の内方側に揺動可能に設置されている。
【００２６】
掛止片７は、着座板２の内方側に揺動した際に、両支持脚片３、３間に差し込まれて、その両端部７ａが両支持脚片３に当接することによって、着座板２に対する支持脚片３、３の起立使用状態を保持するように構成されている(図４参照)。
【００２７】
滑り止め片５は、座布団等のクッション体４を敷設した際に滑り止めとなすように、例えばメッシュ状に成形された矩形片から構成されている。
【００２８】
上記のように構成する本考案に実施例においては、折畳み式正座椅子１は、不使用時には図２に示すように、掛止片７が着座板２の一方の長辺側部２−１側の空隙部２ｅに折畳まれていると共に、突起３ａが凹溝部２ｃから抜け出た状態となって、支持脚片３、３が共に蝶番６を介して着座板２の下面２ｂ側に折畳まれた横臥格納状態となっており、持ち運ぶ可能な形状を呈している。
【００２９】
この時、支持脚片３、３が着座板２の下面２ｂに横臥格納状態となっていると共に、掛止片７が着座板２の空隙部２ｅからはみ出すことなく格納されていることになって、折畳み式正座椅子１の持ち運びに際して邪魔とならず影響を及ぼすことはない。
【００３０】
かかる不使用時から折畳み式正座椅子１を使用状態にするには、図２に示す状態から、まず図３に示すように、支持脚片３、３の基端部３−１を中心として、遊端部３−２側を蝶番６を介して矢印方向に拡開揺動させることによって、着座板２の下面２ｂに対して、起立使用状態になす。
【００３１】
この時、支持脚片３、３の突起部３ａは、着座板２側の凹溝部２ｃに嵌合し、この嵌合によって、着座板２の両短辺側部２−１における凹溝部２ｃを挟む両端面２ｄと両支持脚片３、３における突起部３ａを挟む両端面３ｂとが互いに当接し合って、着座板２に対する支持脚片３の起立使用状態を保持することになる。
【００３２】
なお、突起部３ａと凹溝部２ｃとの嵌合関係を密着嵌合状態になるように構成することによって、突起部３ａにおける凹溝部２ｃへの嵌合動作に節度感を持たせることができる。
【００３３】
次に、空隙部２ｅに横臥状態となっている掛止片７を、蝶番８を介して着座板２の中央側（図４の矢印方向）に揺動させて着座板２の長辺側部２−２の内側に起立させることによって支持脚片３、３の間の内側に位置させ、掛止片７の両端部を支持脚片３、３に当接させて、凹溝部２ｃは突起部３ａの嵌合と相俟って、起立状態にある支持脚片３、３を支えることになる。
【００３４】
この結果、折畳み式正座椅子１は、図５に示すように、着座者１０の両脚部１０ｂを互いに近接させて揃えた状態にして支持脚片３、３の間に挿入し、次に、支持脚片３、３の遊端部３−２側を床面９側にすると共に着座板２を天井側に配置すれば、着座板２に着座者１０の臀部１０ａを着座することによって、着座者１０を正座剤状態に保持することができ、長時間の正座状態に保っていたとしても、着座者１０の脚部１０ｂが痺れることがなく、美形姿態を保持することができる。
【００３５】
従って、本発明に係る第１の実施例においては、折畳み式正座椅子１は、着座板２の下面２ｂに対して起立使用状態にある一対の支持脚片３、３の内側において、着座者１０の両脚部１０ｂが挿入されることになって、あたかも、両支持脚片３、３により着座者１０の両脚部１０ｂが外側から拘束されていることになり、着座者１０が稽古等に夢中になっていたとしても、無意識の中で両脚部１０ｂが外側に拡がっていくのを抑えることができ、着座者１０の正座姿態が崩れることなく、美形姿態のまま保持されることになる。
【００３６】
また、折畳み式正座椅子１は、両支持脚片３、３の内側において着座者１０の両脚部１０ｂが挿入された状態で着座姿勢を保持するようにすると共に、両支持脚片３、３を着座板２の両長辺側部２−２の端部にそれぞれ設けるようにしたことにより、両支持脚片３、３間の間隙寸法を小さくすることができることになって、着座板２の小型化を図ることができる。
【００３７】
また逆に、かかる構成により、折畳み式正座椅子１は、両支持脚片３、３の内側において着座者１０の両脚部１０ｂが挿入された状態において着座姿勢を保持するように構成したことにより、着座者１０によってまちまちな両脚部２ｂ間の寸法等姿態に拘束されることなく、着座板２として着座面積の大きなものを選択使用することができ、着座者１０の臀部１０ａの大小に拘わらず常に臀部１０ａ全体をはみ出さないように保持することができ、着座心地を良好なものにすることができる。また、掛止片を両支持脚片間に位置させて、起立使用状態にある両支持脚片を支えることができ、使用中に掛止片を横臥格納状態にしない限り両支持脚片が折畳まれてしまうことがなく、また、掛止片は不使用時には着座板の長辺側部下面側において押下格納状態になるように折畳むことによって収容され、正座椅子を薄型コンパクトに折畳むことができ、持ち運び等に影響を及ぼすことはなく便利である。
【００３８】
さらに、折畳み式正座椅子１は、着座板２上に座布団等のクッション体４を敷いた状態で稽古時等に没頭する間に着座者１０の臀部１０ａによって着座板２に対してクッション体４の敷設状態をずらすような力が加わったとしても、滑り止め片５によりクッション体４が着座板２の敷設位置よりずれることがなく、常に、クッション体４自体の機能を十分発揮させることができ、着座心地を良好なものにすることができる。
【００３９】
図６は本考案における第２の実施例を採用した折畳み式正座椅子１を示したものである。
【００４０】
図６によれば、折畳み式正座椅子１は、着座者１０の身長の大小に合わせて、支持脚片３が上下方向に伸縮可能に構成した点、上記第１の実施例の構成と異なっているものであり、その他の構成は同一であることから重複説明を割愛する。
【００４１】
すなわち、第２の実施例における支持脚片３は、上下に２分割構成となっており、例えば上側分割支持脚片３−３の両側壁部にそれぞれ複数のラチェット歯３−３ａを刻設すると共に、ラチェット歯３−３ａに噛合するラチェット片３−４ａを下側分割支持脚片３−４の両側壁部にそれぞれ揺動可能に設置しておき、ラチェット片３−４ａを各ラチェット歯３−３ａに選択的に噛合換えすることによって、上下寸法を選択調整可能に構成されている。
【００４２】
従って、下側分割支持脚片３−４は、上端部が開口する空洞部３−４ｂを有して構成して、当該空洞部３−４ｂ内に上側分割支持脚片３−３が出入り可能構成することによって、支持脚片３の上下寸法を調整選択可能になっている。
【００４３】
かかる構成を採用したことによって、支持脚片３は、上下寸法を調整選択することによって、着座板２の上面２ａの床面９からの高さを着座者の身長に合わせることができ、この点からも、着座者１０の正座姿勢を美形姿態にさせることができる。
【産業上の利用可能性】
【００４４】
以上説明したように、本考案は、正座姿勢が崩れることなく、美形姿態のまま保持され、また、両支持脚片間の間隙寸法を大きくすることができることになって、着座板の小型化を図ることができ、しかも、逆に着座者によってまちまちな両脚部間の間隙寸法等の姿態に拘束されることなく、着座板として着座面積の大きなものを使用することができ、着座者の臀部の大小に拘わらず常に臀部全体を平均的に保持することができ、着座心地を良好なものにすることができるために、詩吟或いは三味線琴等の稽古時あるいは冠婚葬祭や各種会合の席等において着座者の足部が痺れるのを防止すると共に、美形なる正座を可能にする折畳み式正座椅子等に好適であるといえる。
【図面の簡単な説明】
【００４５】
【図１】本考案に係る第１の実施例を採用した折畳み式正座椅子の支持脚片を着座板に対して起立させた起立使用状態を描画した一部分解斜視図である。
【図２】同じく支持脚片を着座板に対して支持脚片を折畳んで横臥させた格納状態を着座板の下面側から描画した斜視図である。
【図３】同じく起立使用状態にするために着座板に対して支持脚片を起立させた状態を着座板の下面側から描画した斜視図である。
【図４】同じく起立した支持脚片を掛止片により掛止下状態を着座板の下面側から描画した斜視図ある。
【図５】同じく起立使用状態における折畳み式正座椅子の背面図である。
【図６】本考案に係る第２の実施例を採用した折畳み式正座椅子の要部を描画した斜視図である。
【符号の説明】
【００４６】
１    折畳み式正座椅子
２    着座板
２ａ  上面
２ｂ  下面
２ｃ  凹溝部
２−１  短辺側部
２−２  長辺側部
３    支持脚片
３−１  基端部
３−２  遊端部
３ａ  突起部
３ｂ  端面
４    クッション体
５    滑り止め片
７    掛止片
７ａ  端面
１０    着座者
１０ａ  臀部
１０ｂ  脚部
【図１】
0003139324.tif 000003
【図２】
0003139324.tif 000004
【図３】
0003139324.tif 000005
【図４】
0003139324.tif 000006
【図５】
0003139324.tif 000007
【図６】
0003139324.tif 000008